(57)【要約】【課題】エレベータの遠隔監視のための処理に用いるプログラム情報を、漏洩を防止しつつ容易に管理するための遠隔監視情報管理方法および遠隔監視システムを提供する。【解決手段】実施形態によれば遠隔監視システムは、所定エレベータの遠隔監視が契約されたときに当該エレベータに設けられた遠隔監視装置と、遠隔地のサービス情報センタ装置とで構成される。遠隔監視装置には、通信用プログラム情報と遠隔監視に関する診断運転のための診断運転用プログラム情報と診断運転用プログラム情報の書き込み用プログラム情報とが格納されている。サービス情報センタ装置は、エレベータの遠隔監視の契約期間が終了したときにプログラム消去指令を遠隔監視装置に送信する。遠隔監視装置はプログラム消去指令を受信すると、自装置内に通信用プログラム情報および書き込み用プログラム情報を残した状態で、診断運転用プログラム情報を消去する。【選択図】図１
2019202845.tif 000002
【特許請求の範囲】
【請求項１】
所定のエレベータを所定期間遠隔監視する契約が締結されたときに当該エレベータに設置された遠隔監視装置と、前記遠隔監視装置に通信ネットワークを介して接続され、前記エレベータが設置された建物から遠隔地にあるサービス情報センタに設置されたサービス情報センタ装置とで構成されたエレベータの遠隔監視システムで用いられるエレベータの遠隔監視情報管理方法であって、
前記遠隔監視装置には、外部装置と通信を行うための通信用プログラム情報と、前記遠隔監視に関する診断運転を前記エレベータに実行させるための診断運転用プログラム情報と、前記診断運転用プログラム情報を自装置内に書き込むための書き込み用プログラム情報とが格納され、
前記サービス情報センタ装置が、前記エレベータの遠隔監視の契約期間が終了したときに、前記診断運転用プログラム情報を消去させるためのプログラム消去指令を前記遠隔監視装置に送信し、
前記プログラム消去指令を受信した前記遠隔監視装置が、自装置内に前記通信用プログラム情報および前記書き込み用プログラム情報を残した状態で、前記診断運転用プログラム情報を消去する
ことを特徴とするエレベータの遠隔監視情報管理方法。
【請求項２】
前記遠隔監視装置から前記診断運転用プログラム情報が消去された後、前記エレベータの遠隔監視が再契約されたときに、前記サービス情報センタ装置が、当該再契約による遠隔監視に適用する診断運転用プログラム情報を前記遠隔監視装置に送信し、
前記遠隔監視装置が、前記サービス情報センタ装置から受信した診断運転用プログラム情報を、前記書き込み用プログラムにより自装置内に書き込む
ことを特徴とする請求項１に記載のエレベータの遠隔監視情報管理方法。
【請求項３】
前記遠隔監視装置には、前記エレベータを所定期間遠隔監視する契約が締結されたときに格納された診断運転用プログラム情報のバージョン情報が格納されており、
前記遠隔監視装置から前記診断運転用プログラム情報が消去された後、前記エレベータの遠隔監視が再契約されたときに、前記サービス情報センタ装置が、前記遠隔監視装置から前記バージョン情報を取得し、
取得したバージョン情報よりも新しいバージョンであり、且つ、前記エレベータの遠隔監視に適用可能な診断運転用プログラム情報があると判定したときには、当該新しいバージョンの診断運転用プログラム情報を、前記再契約による遠隔監視に適用する診断運転用プログラム情報として前記遠隔監視装置に送信し、
取得したバージョン情報よりも新しいバージョンであり、且つ、前記エレベータの遠隔監視に適用可能な診断運転用プログラム情報がないと判定したときには、以前、前記エレベータの遠隔監視に適用したバージョンの診断運転用プログラム情報を、前記再契約による遠隔監視に適用する診断運転用プログラム情報として前記遠隔監視装置に送信する
ことを特徴とする請求項２に記載のエレベータの遠隔監視情報管理方法。
【請求項４】
前記エレベータの遠隔監視が再契約され、前記サービス情報センタ装置が当該再契約による遠隔監視に適用する診断運転用プログラム情報を前記遠隔監視装置に送信した後、前記サービス情報センタ装置が、前記診断運転に関する動作確認用データ要求を前記遠隔監視装置に送信し、
前記遠隔監視装置が、前記動作確認用データ要求を受信したときに、前記エレベータの遠隔監視に関する動作確認用データとして所定時間内の前記エレベータの動作状況情報を取得して前記サービス情報センタ装置に送信し、
前記サービス情報センタ装置が、前記遠隔監視装置から受信した前記エレベータの動作状況情報を用いて、前記エレベータの遠隔監視に関する動作確認を行う
ことを特徴とする請求項２または３に記載のエレベータの遠隔監視情報管理方法。
【請求項５】
前記遠隔監視装置が、前記サービス情報センタ装置から受信した診断運転用プログラム情報を自装置内に書き込む処理が完了すると、プログラム書き込み処理完了通知を前記サービス情報センタ装置に送信し、
前記サービス情報センタ装置が、前記再契約による遠隔監視に適用する診断運転用プログラム情報を前記遠隔監視装置に送信した後、前記プログラム書き込み処理完了通知が受信されずに所定時間が経過したときには、当該診断運転用プログラム情報を前記遠隔監視装置に再送信し、当該診断運転用プログラム情報の再送信を所定回数実行しても前記プログラム書き込み処理完了通知が受信されないときには、エラー通知情報を出力する
ことを特徴とする請求項２〜４いずれか１項に記載のエレベータの遠隔監視情報管理方法。
【請求項６】
所定のエレベータを所定期間遠隔監視する契約が締結されたときに当該エレベータに設置された遠隔監視装置と、前記遠隔監視装置に通信ネットワークを介して接続され、前記エレベータが設置された建物から遠隔地にあるサービス情報センタに設置されたサービス情報センタ装置とで構成されたエレベータの遠隔監視システムにおいて、
前記遠隔監視装置には、外部装置と通信を行うための通信用プログラム情報と、前記遠隔監視に関する診断運転を前記エレベータに実行させるための診断運転用プログラム情報と、前記診断運転用プログラム情報を自装置内に書き込むための書き込み用プログラム情報とが格納されており、
前記サービス情報センタ装置は、
前記エレベータの遠隔監視の契約期間が終了したときに、前記診断運転用プログラム情報を消去させるためのプログラム消去指令を前記遠隔監視装置に送信する診断運転情報処理部を有し、
前記遠隔監視装置は、
前記プログラム消去指令を受信すると、自装置内に前記通信用プログラム情報および前記書き込み用プログラム情報を残した状態で、前記診断運転用プログラム情報を消去する情報制御部を有する
ことを特徴とするエレベータの遠隔監視システム。
【発明の詳細な説明】
【技術分野】
【０００１】
本発明の実施形態は、エレベータの遠隔監視情報管理方法および遠隔監視システムに関する。
【背景技術】
【０００２】
従来、エレベータ管理会社とエレベータが設置された建物のオーナーとの間で、当該エレベータに関する所定期間の遠隔監視契約が締結されると、当該建物に、遠隔監視の処理に用いる遠隔監視装置が設置される。この遠隔監視装置には、当該エレベータに遠隔監視に関する診断運転を実行させるためのプログラム情報が格納された遠隔監視基板が設置されている。そして、この遠隔監視装置で当該プログラム情報を用いて診断運転が実行されると、その結果情報がエレベータ管理会社のサービス情報センタ装置に送信され、当該エレベータの遠隔監視処理が行われる。
【先行技術文献】
【特許文献】
【０００３】
【特許文献１】特開２０１６−２１６１５１号公報
【発明の概要】
【発明が解決しようとする課題】
【０００４】
上述した遠隔監視基板は、遠隔監視の契約期間中、建物内部の装置に設置されているため、遠隔監視の契約期間が終了した後、エレベータ管理会社の作業員が立ち入って回収することは困難である。しかし、契約期間終了後も当該建物内部に遠隔監視基板を残したままにすると、当該基板に格納されたプログラムが他社により解析され、当該エレベータ管理会社独自の遠隔監視処理の内容を把握されてしまう可能性があるという問題があった。遠隔監視の契約期間終了時にエレベータ管理会社が当該基板を回収すれば他社にプログラムを解析されることは回避できるが、その後当該エレベータ管理会社で遠隔監視が再契約された場合に、再度遠隔監視基板を当該建物内の装置に取り付ける作業が必要になり、手間がかかるという問題があった。
【０００５】
本発明は上記事情に鑑みてなされたものであり、エレベータの遠隔監視のための処理に用いるプログラム情報を、漏洩を防止しつつ容易に管理するためのエレベータの遠隔監視情報管理方法および遠隔監視システムの提供を目的とする。
【課題を解決するための手段】
【０００６】
上記目的を達成するための実施形態によればエレベータの遠隔監視システムは、実施形態によれば遠隔監視システムは、所定エレベータの遠隔監視が契約されたときに当該エレベータに設けられた遠隔監視装置と、遠隔地のサービス情報センタ装置とで構成される。遠隔監視装置には、通信用プログラム情報と遠隔監視に関する診断運転のための診断運転用プログラム情報と診断運転用プログラム情報の書き込み用プログラム情報とが格納されている。サービス情報センタ装置は、エレベータの遠隔監視の契約期間が終了したときにプログラム消去指令を遠隔監視装置に送信する。遠隔監視装置はプログラム消去指令を受信すると、自装置内に通信用プログラム情報および書き込み用プログラム情報を残した状態で、診断運転用プログラム情報を消去する。
【図面の簡単な説明】
【０００７】
【図１】第１〜第４実施形態による遠隔監視システムの構成を示すブロック図。
【図２】第１実施形態による遠隔監視システムの動作を示すフローチャート。
【図３】第２実施形態による遠隔監視システムの動作を示すフローチャート。
【図４】第３実施形態による遠隔監視システムの動作を示すフローチャート。
【図５】第４実施形態による遠隔監視システムの動作を示すフローチャート。
【発明を実施するための形態】
【０００８】
以下に、本発明の実施形態として、所定のエレベータ管理会社と建物Ｘのオーナーとの間で、当該建物Ｘ内のエレベータＥに関する所定期間の遠隔監視契約が締結されたときに、当該建物Ｘに遠隔監視装置が設置され、当該エレベータ管理会社のサービス情報センタＹに設置されたサービス情報センタ装置と当該遠隔監視装置とが通信ネットワークで接続されて、遠隔監視システムが構築された場合について説明する。
【０００９】
《第１実施形態》
〈第１実施形態による遠隔監視システムの構成〉
本発明の第１実施形態による遠隔監視システムの構成について、図１を参照して説明する。本実施形態による遠隔監視システム１Ａは、建物Ｘ内でエレベータＥのエレベータ制御盤１１に接続されて設置された遠隔監視装置１２と、建物Ｘから遠隔地にあるサービス情報センタＹに設置されたサービス情報センタ装置３１とが、通信ネットワーク２０を介して接続されて構成されている。遠隔監視装置１２は、上述したように、エレベータ管理会社と建物Ｘのオーナーとの間で、エレベータＥに関する所定期間の遠隔監視契約が締結されたときに建物Ｘ内に設置されたものである。
【００１０】
遠隔監視装置１２には、遠隔監視基板１３が取り付けられ、エレベータＥのエレベータ制御盤１１に接続されている。遠隔監視基板１３は、プログラムメモリ１３１と、情報制御部としてのＣＰＵ１３２と、一時保存メモリ１３３とを有する。プログラムメモリ１３１には、エレベータＥの遠隔監視のための診断運転に関するプログラム情報が格納される。プログラムメモリ１３１に格納されるプログラム情報の詳細については、後述する。
【００１１】
ＣＰＵ１３２は、プログラムメモリ１３１内に格納されたプログラムを実行することにより、当該建物Ｘ内のエレベータの遠隔監視のための診断運転実行処理、およびプログラムメモリ１３１内のプログラム情報の管理処理を行う。一時保存メモリ１３３は、サービス情報センタ装置３１から診断運転用プログラム情報を受信したときに、当該プログラム情報を一時保存する。
【００１２】
サービス情報センタ装置３１は、遠隔監視処理部３１１と、診断運転情報処理部３１２と、診断運転情報記憶部３１３とを有する。遠隔監視処理部３１１は、遠隔監視対象のエレベータＥの動作状況を遠隔から監視するための遠隔監視処理を行う。診断運転情報処理部３１２は、エレベータＥの遠隔監視処理を行うために建物Ｘ内の遠隔監視装置１２に保存させるプログラム情報を管理する。診断運転情報記憶部３１３は、遠隔監視処理を行うためのプログラム情報を、バージョンごとに記憶する。
【００１３】
〈第１実施形態による遠隔監視システムの動作〉
次に、本実施形態による遠隔監視システム１Ａの動作について説明する。本実施形態において、エレベータ管理会社によるエレベータＥに関する所定期間の遠隔監視契約が締結されると、エレベータ管理会社の作業員により、建物Ｘ内に遠隔監視装置１２が設置されるとともに、サービス情報センタ装置３１に当該遠隔監視契約によるエレベータＥの監視期間を含む遠隔監視情報が入力される。遠隔監視装置１２には、遠隔監視基板１３が取り付けられており、遠隔監視基板１３内のプログラムメモリ１３１には、通信用プログラム情報１３１ａと、診断運転用プログラム情報１３１ｂと、消去用プログラム情報１３１ｃと、書き込み用プログラム情報１３１ｄと、診断運転用プログラム情報１３１ｂのバージョン情報１３１ｅとが格納されている。
【００１４】
通信用プログラム情報１３１ａは、通信ネットワーク２０を介して外部装置であるサービス情報センタ装置３１との通信を行うためのプログラム情報である。診断運転用プログラム情報１３１ｂは、当該エレベータの遠隔監視に関する診断運転を実行させるためのプログラム情報である。消去用プログラム情報１３１ｃは、診断運転用プログラム情報をプログラムメモリ１３１内から消去することでアンインストールするためのプログラム情報である。書き込み用プログラム情報１３１ｄは、診断運転用プログラム情報をプログラムメモリ１３１に書き込むことでインストールするためのプログラム情報である。
【００１５】
そして、エレベータＥに関する遠隔監視の契約期間中は、遠隔監視基板１３のＣＰＵ１３２により所定期間ごと（例えば１ヶ月ごと）に診断運転用プログラム情報１３１ｂのプログラムが起動され、エレベータ制御盤１１に対して所定の診断運転が実行される。遠隔監視のための診断運転としては、昇降路内に設置されたリミットスイッチのＯＮ／ＯＦＦ動作診断のための運転、巻上げ機に備えられたブレーキの動作診断のための運転、各階床における乗りかごの着床位置診断のための運転、ドアの開閉動作の診断のための運転等がある。診断運転が実行されると、ＣＰＵ１３２においてその結果情報が生成され、サービス情報センタ装置３１に送信される。サービス情報センタ装置３１では、遠隔監視装置１２から送信された診断運転の結果情報が遠隔監視処理部３１１で収集され、当該診断運転の結果情報に基づいてエレベータＥの動作状況が監視される。
【００１６】
その後、エレベータＥに関する遠隔監視の契約期間が終了するときに遠隔監視システム１Ａで実行される処理について、図２のフローチャートを参照して説明する。エレベータＥに関する遠隔監視の契約期間中、サービス情報センタ装置３１の診断運転情報処理部３１２では、保持した遠隔監視情報に基づいて当該契約期間の終了時点が到来したか否かが監視されている（Ｓ１）。
【００１７】
診断運転情報処理部３１２によりエレベータＥに関する遠隔監視の契約期間が終了したと判定されると（Ｓ１の「YES」）、診断運転用プログラム情報１３１ｂを遠隔監視基板１３から消去させるためのプログラム消去指令が生成され、通信ネットワーク２０を介して建物Ｘの遠隔監視装置１２に送信される（Ｓ２）。送信されたプログラム消去指令は、遠隔監視装置１２において、ＣＰＵ１３２によりプログラムメモリ１３１内の通信用プログラム情報１３１ａが用いられて受信される。プログラム消去指令が受信されると、ＣＰＵ１３２によりプログラムメモリ１３１内の消去用プログラム情報１３１ｃが用いられて診断運転用プログラム情報１３１ｂがプログラムメモリ１３１から消去（アンインストール）される（Ｓ３）。このとき、通信用プログラム情報１３１ａ、消去用プログラム情報１３１ｃ、書き込み用プログラム情報１３１ｄ、およびバージョン情報１３１ｅは消去されず、プログラムメモリ１３１内に残される。
【００１８】
そして、ＣＰＵ１３２による診断運転用プログラム情報１３１ｂの消去処理が完了すると（Ｓ４の「YES」）、プログラム消去処理完了通知が生成され、サービス情報センタ装置３１に送信される（Ｓ５）。送信されたプログラム消去処理完了通知は、サービス情報センタ装置３１の診断運転情報処理部３１２で受信され（Ｓ６）、正常にプログラム消去処理が完了したことが認識され、遠隔監視期間終了時の処理が終了する。
【００１９】
以上の第１実施形態によれば、所定のエレベータに対する遠隔監視の契約期間が終了したときに、遠隔監視で用いた診断運転用プログラム情報の漏洩を防止しつつ、将来遠隔監視が再契約されたときに容易に処理を復活させることができるように、エレベータが設置された建物内の遠隔監視情報を管理することができる。
【００２０】
《第２実施形態》
〈第２実施形態による遠隔監視システムの構成〉
本発明の第２実施形態による遠隔監視システム１Ｂの構成は、第１実施形態で説明した図１の遠隔監視システム１Ａの構成と同様であるため、詳細な説明は省略する。
【００２１】
〈第２実施形態による遠隔監視システムの動作〉
本実施形態において、エレベータ管理会社によるエレベータＥに関する遠隔監視の契約期間が終了したときに実行される処理は、第１実施形態で説明した処理と同様であるため、詳細な説明は省略する。
【００２２】
エレベータＥに関する遠隔監視の契約期間が終了し、ステップＳ１〜Ｓ６の処理が実行された後、エレベータＥの遠隔監視に関する再契約が締結されたときに遠隔監視システム１Ｂで実行される処理について、図３のフローチャートを参照して説明する。エレベータＥに関する遠隔監視の再契約が締結されると、監視員によりサービス情報センタ装置３１に、再契約によるエレベータＥの監視期間を含む遠隔監視情報が入力される。
【００２３】
サービス情報センタ装置３１では、再契約によるエレベータＥの遠隔監視情報が入力されると（Ｓ１１の「YES」）、診断運転情報処理部３１２により、当該遠隔監視のための遠隔監視処理に適用する診断運転用プログラム情報が診断運転情報記憶部３１３から取得される（Ｓ１２）。取得された診断運転用プログラム情報は、診断運転情報処理部３１２から遠隔監視装置１２に送信される（Ｓ１３）。送信された診断運転用プログラム情報は、遠隔監視装置１２において、ＣＰＵ１３２によりプログラムメモリ１３１内に残っている通信用プログラム情報１３１ａが用いられて受信され、一時保存メモリ１３３に一時保存される（Ｓ１４）。
【００２４】
そして、ＣＰＵ１３２による診断運転用プログラム情報の一時保存処理が完了すると（Ｓ１５の「YES」）、プログラム保存処理完了通知が生成され、サービス情報センタ装置３１に送信される（Ｓ１６）。送信されたプログラム保存処理完了通知は、サービス情報センタ装置３１の診断運転情報処理部３１２で受信され、これに基づいてプログラム書き込み指令が生成される。生成されたプログラム書き込み指令は、遠隔監視装置１２に送信される（Ｓ１７）。
【００２５】
送信されたプログラム書き込み指令は、遠隔監視装置１２において、ＣＰＵ１３２により通信用プログラム情報１３１ａが用いられて受信される。プログラム書き込み指令が受信されると、ＣＰＵ１３２によりプログラムメモリ１３１内の書き込み用プログラム情報１３１ｄが用いられて、一時保存メモリ１３３に保存された診断運転用プログラム情報がプログラムメモリ１３１内に書き込まれる（Ｓ１８）。
【００２６】
そして、ＣＰＵ１３２による診断運転用プログラム情報の書き込み処理が完了すると（Ｓ１９の「YES」）、プログラム書き込み処理完了通知が生成され、サービス情報センタ装置３１に送信される（Ｓ２０）。送信されたプログラム書き込み処理完了通知は、サービス情報センタ装置３１の診断運転情報処理部３１２で受信され（Ｓ２１）、正常にプログラム書き込み処理が完了したことが認識される。
【００２７】
以上の第２実施形態によれば、所定のエレベータに対する遠隔監視の契約期間が終了して、当該エレベータが設置された建物内の遠隔監視装置から診断運転用プログラム情報が消去された後、当該エレベータの遠隔監視が再契約されたときに、作業員が当該建物に出向いて遠隔監視基板を装着させる等の作業を必要とせず、遠隔から容易に診断運転用プログラム情報を再インストールさせることができる。
【００２８】
上述した第２実施形態において、サービス情報センタ装置３１が再契約による遠隔監視に適用する診断運転用プログラム情報を送信したにも関わらず、プログラム保存処理完了通知が受信されずに所定時間が経過したときには、当該診断運転用プログラム情報を再送信するリトライ処理を実行するようにしてもよい。そして、所定回数リトライ処理を実行してもプログラム保存処理完了通知が受信されないときには、遠隔監視装置１２が故障しているかまたは取り外されていることが想定されるため、当該建物Ｘに作業員を派遣するためにエラー通知情報を出力するようにしてもよい。また、サービス情報センタ装置３１がプログラム書き込み指令を送信したにもかかわらず、プログラム書き込み処理完了通知がサービス情報センタ装置３１で受信されずに所定時間が経過したときも、同様とする。
【００２９】
《第３実施形態》
〈第３実施形態による遠隔監視システムの構成〉
本発明の第３実施形態による遠隔監視システム１Ｃの構成は、第１実施形態で説明した図１の遠隔監視システム１Ａの構成と同様であるため、詳細な説明は省略する。
【００３０】
〈第３実施形態による遠隔監視システムの動作〉
本実施形態において、エレベータ管理会社によるエレベータＥに関する遠隔監視の契約期間が終了したときに実行される処理は、第１実施形態で説明した処理と同様であるため、詳細な説明は省略する。
【００３１】
エレベータＥに関する遠隔監視の契約期間が終了し、ステップＳ１〜Ｓ６の処理が実行された後、エレベータＥの遠隔監視に関する再契約が締結されたときには、第２実施形態と同様にステップＳ１１〜Ｓ２１の処理が実行される。
【００３２】
本実施形態において、ステップＳ１２で遠隔監視処理に適用する診断運転用プログラム情報が取得されるときの処理について、図４のフローチャートを参照して詳細に説明する。
【００３３】
まず、診断運転情報処理部３１２により、以前エレベータＥに関する遠隔処理が行われていたときに用いられた診断運転用プログラム情報のバージョン情報を確認するためのバージョン情報要求が生成され、遠隔監視装置１２に送信される（Ｓ１２１）。
【００３４】
送信されたバージョン情報要求は、遠隔監視装置１２において、ＣＰＵ１３２により通信用プログラム情報１３１ａが用いられて受信される。バージョン情報要求が受信されると、ＣＰＵ１３２によりプログラムメモリ１３１内のバージョン情報１３１ｅが取得され、サービス情報センタ装置３１に送信される（Ｓ１２２）。
【００３５】
送信されたバージョン情報は、サービス情報センタ装置３１の診断運転情報処理部３１２で受信される。そして、受信されたバージョン情報よりも新しいバージョンであり、且つエレベータＥの遠隔監視に適用可能な診断運転用プログラム情報が、診断運転情報記憶部３１３に記憶されているか否かが判定される（Ｓ１２３）。ここで、該当する診断運転用プログラム情報が診断運転情報記憶部３１３に記憶されていると判定された場合には（Ｓ１２３の「YES」）、当該新しいバージョンの診断運転用プログラム情報が、今回の遠隔監視処理に適用する診断運転用プログラム情報として取得される（Ｓ１２４）。また、該当する診断運転用プログラム情報が診断運転情報記憶部３１３に記憶されていないと判定されたときには、以前にエレベータＥの遠隔監視処理を実行していたときに適用していたバージョンの診断運転用プログラム情報が、今回の遠隔監視処理に適用する診断運転用プログラム情報として取得される（Ｓ１２５）。
【００３６】
ステップＳ１２４またはＳ１２５により適用対象の診断運転用プログラム情報が取得された後に実行されるステップＳ１３〜Ｓ２１の処理は、第２実施形態で説明した処理と同様であるため、詳細な説明は省略する。
【００３７】
以上の第３実施形態によれば、所定のエレベータに対する遠隔監視の契約期間が一旦終了した後、再契約されたときに、適用可能な最新バージョンの診断運転用プログラム情報を用いることで、好適な遠隔監視を実行することができる。
【００３８】
《第４実施形態》
〈第４実施形態による遠隔監視システムの構成〉
本発明の第４実施形態による遠隔監視システム１Ｄの構成は、第１実施形態で説明した図１の遠隔監視システム１Ａの構成と同様であるため、詳細な説明は省略する。
【００３９】
〈第４実施形態による遠隔監視システムの動作〉
本実施形態において、エレベータ管理会社によるエレベータＥの遠隔監視に関する契約期間が終了したときに実行される処理は、第１実施形態で説明した処理と同様であるため、詳細な説明は省略する。また、エレベータＥに関する遠隔監視の契約期間が終了した後、再契約されたときに実行される処理は、第２実施形態および第３実施形態で説明した処理と同様であるため、詳細な説明は省略する。
【００４０】
エレベータＥに関する遠隔監視が再契約され、ステップＳ１１〜Ｓ２１の処理が実行された後に、遠隔監視システム１Ｄで実行される動作確認処理について、図５のフローチャートを参照して説明する。
【００４１】
ステップＳ２１により、サービス情報センタ装置３１において診断運転用プログラム情報の書き込み処理完了通知が受信されると（Ｓ３１の「YES」）、以降正常に遠隔監視処理が実行可能であるかを確認するために、診断運転情報処理部３１２から遠隔監視装置１２に動作確認用データ要求が送信される（Ｓ３２）。送信された動作確認用データ要求は、遠隔監視装置１２において、ＣＰＵ１３２により通信用プログラム情報１３１ａが用いられて受信される。動作確認用データ要求が受信されると、ＣＰＵ１３２によりエレベータＥの所定期間の動作状況情報が動作確認用データとしてエレベータ制御盤１１から取得され、サービス情報センタ装置３１に送信される（Ｓ３３）。
【００４２】
送信されたエレベータＥの動作状況情報は、サービス情報センタ装置３１の診断運転情報処理部３１２で受信され、遠隔監視処理実行時にエレベータの動作状況情報を取得する動作が正常に実行可能であることが確認される（Ｓ３４）。
【００４３】
以上の第４実施形態によれば、所定のエレベータに対する遠隔監視の契約期間が一旦終了した後、再契約されて診断運転用プログラム情報が再インストールされたときに当該遠隔診断システムの動作確認を行うことで、以降の遠隔監視処理を精度よく実行開始させることができる。
【００４４】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００４５】
１Ａ，１Ｂ，１Ｃ，１Ｄ…遠隔監視システム、１１…エレベータ制御盤、１２…遠隔監視装置、１３…遠隔監視基板、２０…通信ネットワーク、３１…サービス情報センタ装置、１３１…プログラムメモリ、１３１ａ…通信用プログラム情報、１３１ｂ…診断運転用プログラム情報、１３１ｃ…消去用プログラム情報、１３１ｄ…書き込み用プログラム情報、１３１ｅ…バージョン情報、１３３…一時保存メモリ、３１１…遠隔監視処理部、３１２…診断運転情報処理部、３１３…診断運転情報記憶部
【図１】
2019202845.tif 000003
【図２】
2019202845.tif 000004
【図３】
2019202845.tif 000005
【図４】
2019202845.tif 000006
【図５】
2019202845.tif 000007
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
所定のエレベータを所定期間遠隔監視する契約が締結されたときに当該エレベータに設置された遠隔監視装置と、前記遠隔監視装置に通信ネットワークを介して接続され、前記エレベータが設置された建物から遠隔地にあるサービス情報センタに設置されたサービス情報センタ装置とで構成されたエレベータの遠隔監視システムで用いられるエレベータの遠隔監視情報管理方法であって、
前記遠隔監視装置には、外部装置と通信を行うための通信用プログラム情報と、前記遠隔監視に関する診断運転を前記エレベータに実行させるための診断運転用プログラム情報と、前記診断運転用プログラム情報を自装置内に書き込むための書き込み用プログラム情報とが格納され、
前記サービス情報センタ装置が、前記エレベータの遠隔監視の契約期間が終了したときに、前記診断運転用プログラム情報を消去させるためのプログラム消去指令を前記遠隔監視装置に送信し、
前記プログラム消去指令を受信した前記遠隔監視装置が、自装置内に前記通信用プログラム情報および前記書き込み用プログラム情報を残した状態で、前記診断運転用プログラム情報を消去し、
前記遠隔監視装置から前記診断運転用プログラム情報が消去された後、前記エレベータの遠隔監視が再契約されたときに、前記サービス情報センタ装置が、当該再契約による遠隔監視に適用する診断運転用プログラム情報を前記遠隔監視装置に送信し、
前記遠隔監視装置が、前記サービス情報センタ装置から受信した診断運転用プログラム情報を、前記書き込み用プログラムにより自装置内に書き込む
ことを特徴とするエレベータの遠隔監視情報管理方法。
【請求項２】
前記遠隔監視装置には、前記エレベータを所定期間遠隔監視する契約が締結されたときに格納された診断運転用プログラム情報のバージョン情報が格納されており、
前記遠隔監視装置から前記診断運転用プログラム情報が消去された後、前記エレベータの遠隔監視が再契約されたときに、前記サービス情報センタ装置が、前記遠隔監視装置から前記バージョン情報を取得し、
取得したバージョン情報よりも新しいバージョンであり、且つ、前記エレベータの遠隔監視に適用可能な診断運転用プログラム情報があると判定したときには、当該新しいバージョンの診断運転用プログラム情報を、前記再契約による遠隔監視に適用する診断運転用プログラム情報として前記遠隔監視装置に送信し、
取得したバージョン情報よりも新しいバージョンであり、且つ、前記エレベータの遠隔監視に適用可能な診断運転用プログラム情報がないと判定したときには、以前、前記エレベータの遠隔監視に適用したバージョンの診断運転用プログラム情報を、前記再契約による遠隔監視に適用する診断運転用プログラム情報として前記遠隔監視装置に送信する
ことを特徴とする請求項１に記載のエレベータの遠隔監視情報管理方法。
【請求項３】
前記エレベータの遠隔監視が再契約され、前記サービス情報センタ装置が当該再契約による遠隔監視に適用する診断運転用プログラム情報を前記遠隔監視装置に送信した後、前記サービス情報センタ装置が、前記診断運転に関する動作確認用データ要求を前記遠隔監視装置に送信し、
前記遠隔監視装置が、前記動作確認用データ要求を受信したときに、前記エレベータの遠隔監視に関する動作確認用データとして所定時間内の前記エレベータの動作状況情報を取得して前記サービス情報センタ装置に送信し、
前記サービス情報センタ装置が、前記遠隔監視装置から受信した前記エレベータの動作状況情報を用いて、前記エレベータの遠隔監視に関する動作確認を行う
ことを特徴とする請求項１または２に記載のエレベータの遠隔監視情報管理方法。
【請求項４】
前記遠隔監視装置が、前記サービス情報センタ装置から受信した診断運転用プログラム情報を自装置内に書き込む処理が完了すると、プログラム書き込み処理完了通知を前記サービス情報センタ装置に送信し、
前記サービス情報センタ装置が、前記再契約による遠隔監視に適用する診断運転用プログラム情報を前記遠隔監視装置に送信した後、前記プログラム書き込み処理完了通知が受信されずに所定時間が経過したときには、当該診断運転用プログラム情報を前記遠隔監視装置に再送信し、当該診断運転用プログラム情報の再送信を所定回数実行しても前記プログラム書き込み処理完了通知が受信されないときには、エラー通知情報を出力する
ことを特徴とする請求項１〜３いずれか１項に記載のエレベータの遠隔監視情報管理方法。
【請求項５】
所定のエレベータを所定期間遠隔監視する契約が締結されたときに当該エレベータに設置された遠隔監視装置と、前記遠隔監視装置に通信ネットワークを介して接続され、前記エレベータが設置された建物から遠隔地にあるサービス情報センタに設置されたサービス情報センタ装置とで構成されたエレベータの遠隔監視システムにおいて、
前記遠隔監視装置には、外部装置と通信を行うための通信用プログラム情報と、前記遠隔監視に関する診断運転を前記エレベータに実行させるための診断運転用プログラム情報と、前記診断運転用プログラム情報を自装置内に書き込むための書き込み用プログラム情報とが格納されており、
前記サービス情報センタ装置は、
前記エレベータの遠隔監視の契約期間が終了したときに、前記診断運転用プログラム情報を消去させるためのプログラム消去指令を前記遠隔監視装置に送信し、前記遠隔監視装置から前記診断運転用プログラム情報が消去された後、前記エレベータの遠隔監視が再契約されたときに、当該再契約による遠隔監視に適用する診断運転用プログラム情報を前記遠隔監視装置に送信する診断運転情報処理部を有し、
前記遠隔監視装置は、
前記プログラム消去指令を受信すると、自装置内に前記通信用プログラム情報および前記書き込み用プログラム情報を残した状態で、前記診断運転用プログラム情報を消去し、その後、前記サービス情報センタ装置から診断運転用プログラム情報を受信すると、前記書き込み用プログラムにより自装置内に書き込む情報制御部を有する
ことを特徴とするエレベータの遠隔監視システム。
【手続補正２】
【補正対象書類名】明細書
【補正対象項目名】０００６
【補正方法】変更
【補正の内容】
【０００６】
上記目的を達成するための実施形態によればエレベータの遠隔監視システムは、実施形態によれば遠隔監視システムは、所定エレベータの遠隔監視が契約されたときに当該エレベータに設けられた遠隔監視装置と、遠隔地のサービス情報センタ装置とで構成される。遠隔監視装置には、通信用プログラム情報と遠隔監視に関する診断運転のための診断運転用プログラム情報と診断運転用プログラム情報の書き込み用プログラム情報とが格納されている。サービス情報センタ装置は、エレベータの遠隔監視の契約期間が終了したときにプログラム消去指令を遠隔監視装置に送信し、遠隔監視装置から診断運転用プログラム情報が消去された後、エレベータの遠隔監視が再契約されたときに、当該再契約による遠隔監視に適用する診断運転用プログラム情報を遠隔監視装置に送信する。遠隔監視装置はプログラム消去指令を受信すると、自装置内に通信用プログラム情報および書き込み用プログラム情報を残した状態で、診断運転用プログラム情報を消去し、その後、サービス情報センタ装置から診断運転用プログラム情報を受信すると、書き込み用プログラムにより自装置内に書き込む。